(57)【要約】  対象生体であるヒトもしくは動物の体内の血管中もしくはその他の管系における遠隔部位にアクセスするためのカテーテルに用いるガイドワイヤ(１)は、基端部(５)から末端部(６)まで延びるコアワイヤ(２)を有する。コアワイヤ(２)は、一対の向かい合った大きい面(１８，１９)および小さい面(２０，２１)を規定する画定する長方形横断面を有する末端部分(１６)の末端部(６)で終端する。末端部分(１６)は、さらに、大表面(１８，１９)の間に存在し小表面(２０，２１)を二分する中心大平面(２４)、および小表面(２０，２１)の間に存在し大表面（１８，１９）を二分する中心小平面(２５)を画定する。末端部(６)を脈管系中の分岐した脈管に整列させるアライメント部分(２７)は、湾曲部分(２８)を形成するよう末端部分(１６)を中心大平面(２４)において屈曲することで末端部分（１６）に生じ、このアライメント部分(２７)は、湾曲部分(２８)から延び、湾曲部分(２８)およびアライメント部分(２７)は、中心大平面(２４)上に存在する。中心大平面(２４)上において末端部分(１６)を屈曲することにより、ガイドワイヤ(１)の柱強度は、末端部分の中心小平面(２５)上でよじれを生ずる危険性を最小限にする。
2007501648.tif 000002
【特許請求の範囲】
【請求項１】
、対象生体であるヒトもしくは動物の体内の遠隔部位にアクセスするよう外科手術もしくは他の処置に使用する細長いガイドワイヤであって、長手方向に延びる中心軸線を画定し、遠隔部位にアクセスする末端部と、この末端部から離れている基端部との間で軸線方向に延在し、前記末端部に隣接するガイドワイヤの末端部分は、１対の互いに離れる大表面、およびこれら大表面間に延在する１対の小表面を画定するほぼ長方形横断面を有し、前記末端部分は、さらに、大表面間に存在しかつ小表面を二分する中心大平面、および小表面間に存在しかつ大表面を二分する中心小平面を画定する該ガイドワイヤにおいて、前記末端部分を前記中心大平面上で湾曲した形状の湾曲部を生ずるよう屈曲させて、前記中心大平面上に存在しかつ前記湾曲部から前記中心軸線に対して０゜以上の角度をなして延在するアライメント部分を形成し、対象生体の分岐した脈管内にガイドワイヤを案内し易くしたことを特徴とするガイドワイヤ。
【請求項２】
請求項１に記載のガイドワイヤにおいて、前記アライメント部分を、前記中心軸線に対して最大９０°の角度をなして延在する構成としたガイドワイヤ。
【請求項３】
請求項２に記載のガイドワイヤにおいて、前記アライメント部分を、前記中心軸線に対して最大６０°の角度をなして延在する構成としたガイドワイヤ。
【請求項４】
請求項３に記載のガイドワイヤにおいて、前記アライメント部分を、前記中心軸線に対して最大４５°の角度をなして延在するよう構成したガイドワイヤ。
【請求項５】
請求項４に記載のガイドワイヤにおいて、前記アライメント部分を、前記中心軸線に対して最大３０°の角度をなして延在するよう構成したガイドワイヤ。
【請求項６】
請求項１または２に記載のガイドワイヤにおいて、前記アライメント部分を、中心軸に対して３０°〜９０°の角度をなして延在する構成としたガイドワイヤ。
【請求項７】
請求項１〜６のうちいずれか一項に記載のガイドワイヤにおいて、前記ガイドワイヤの末端部分を、屈曲による末端部分の湾曲形状を保持する材料で形成したガイドワイヤ。
【請求項８】
請求項１〜７のうちいずれか一項に記載のガイドワイヤにおいて、前記ガイドワイヤの末端部分を、屈曲による末端部分の湾曲形状を維持できる寸法にしたガイドワイヤ。
【請求項９】
請求項１〜８のうちいずれか一項に記載のガイドワイヤにおいて、前記ガイドワイヤの末端部分を中心小平面上で屈曲可能にし、それによって、対象生体の分岐した脈管内にガイドワイヤを案内し易くするために、前記アライメント部分の少なくとも一部を中心大平面から曲げ出す前記末端部分の屈曲を容易にしたガイドワイヤ。
【請求項１０】
請求項１〜９のうちいずれか一項に記載のガイドワイヤにおいて、前記ガイドワイヤの末端部分を中心小平面中上で屈曲可能にし、それによって、対象生体の分岐した脈管内にガイドワイヤを案内し易くするために、前記アライメント部分を中心大平面から曲げ出す前記末端部分の屈曲を容易にしたガイドワイヤ。
【請求項１１】
請求項９または１０に記載のガイドワイヤにおいて、前記ガイドワイヤの末端部分を、中心小平面上における末端部分の手操作屈曲が容易な材料で形成したガイドワイヤ。
【請求項１２】
請求項９〜１１のうちいずれか一項に記載のガイドワイヤにおいて、前記ガイドワイヤの末端部分を、中心小平面上における末端部分の手操作屈曲が容易となる寸法にしたガイドワイヤ。  
【請求項１３】
請求項１〜１２のうちいずれか一項に記載のガイドワイヤにおいて、前記ガイドワイヤの末端部分をステンレス鋼材料で形成したガイドワイヤ。
【請求項１４】
請求項１〜１３のうちいずれか一項に記載のガイドワイヤにおいて、前記ガイドワイヤの末端部分の大表面相互が、末端部に向かって互いに収斂する構成としたガイドワイヤ。
【請求項１５】
請求項１〜１４のうちいずれか一項に記載のガイドワイヤにおいて、前記ガイドワイヤの末端部分の小表面相互が、末端部に向かって互いに拡開する構成としたガイドワイヤ。
【請求項１６】
請求項１〜１４のうちいずれか一項に記載のガイドワイヤにおいて、前記ガイドワイヤの末端部分の小表面相互を互いに平行にしたガイドワイヤ。
【請求項１７】
請求項のいずれか一項に記載のガイドワイヤにおいて、前記中心小平面上での末端部分の屈曲を最小にするために、前記ガイドワイヤの末端部分に、補強手段を設けたガイドワイヤ。
【請求項１８】
請求項１７に記載のガイドワイヤにおいて、前記補強手段を、前記ガイドワイヤの末端部分の少なくとも一部に沿って前記末端部分の基端部から延在させたガイドワイヤ。
【請求項１９】
請求項１７または１８のうちいずれかに記載のガイドワイヤにおいて、前記補強手段を、前記アライメント部分の少なくとも一部に沿って延在させたガイドワイヤ。
【請求項２０】
請求項１７〜１９のうちいずれか一項に記載のガイドワイヤにおいて、前記補強手段を、前記アライメント部分の末端部から離れた位置で終端させたガイドワイヤ。
【請求項２１】
請求項１７〜２０のうちいずれか一項に記載のガイドワイヤにおいて、前記補強手段を、前記末端部分により画定される前記中心小平面にほぼ一致して存在させたガイドワイヤ。
【請求項２２】
請求項１７〜２１のうちいずれか一項に記載のガイドワイヤにおいて、前記補強手段を、前記末端部分の大表面のうち一方の大表面に沿って延びている細長い補強材有するものとして構成したガイドワイヤ。
【請求項２３】
請求項１〜２２のうちいずれか一項に記載のガイドワイヤにおいて、前記ガイドワイヤを、基端部から末端部分にかけて延びる細長いコアワイヤを有するものとして構成したガイドワイヤ。
【請求項２４】
請求項２３に記載のガイドワイヤにおいて、前記コアワイヤを前記末端部分で終端させたガイドワイヤ。
【請求項２５】
請求項２４に記載のガイドワイヤにおいて、前記ガイドワイヤの末端部分を、前記コアワイヤに一体に形成したガイドワイヤ。
【請求項２６】
請求項２４または２５に記載のガイドワイヤにおいて、前記ガイドワイヤの末端部分を、前記コアワイヤによって形成したガイドワイヤ。
【請求項２７】
請求項２４に記載のガイドワイヤにおいて、前記ガイドワイヤの末端部分を、前記コアワイヤとは個別に形成して、前記コアワイヤに固定したガイドワイヤ。
【請求項２８】
請求項２３〜２７のうちいずれか一項に記載のガイドワイヤにおいて、脈管に傷をつけることなくガイドワイヤを対象生体の脈管内に案内し易くするために、前記ガイドワイヤの末端部分を、ガイドワイヤの末端部の球状部分で終端させたガイドワイヤ。
【請求項２９】
請求項２８に記載のガイドワイヤにおいて、前記球状部分に丸みを持たせたガイドワイヤ。
【請求項３０】
請求項２８または２９に記載のガイドワイヤにおいて、前記球状部分が、ガイドワイヤの末端部を画定し、かつ半球状の末端部を画定するものとしたガイドワイヤ。
【請求項３１】
請求項２８〜３０のうちいずれか一項に記載のガイドワイヤにおいて、前記ガイドワイヤは、前記球状部分から基端部方向に延びるスリーブを有するものとし、また前記コアワイヤをスリーブ内に貫通させたガイドワイヤ。
【請求項３２】
請求項３１に記載のガイドワイヤにおいて、前記スリーブを、前記ガイドワイヤの前記末端部分を越えて、前記基端部の方向に前記コアワイヤに沿って延在させたガイドワイヤ。
【請求項３３】
請求項３１または３２に記載のガイドワイヤにおいて、前記スリーブを、ガイドワイヤの末端部分および基端部の中間の位置で終端させたガイドワイヤ。
【請求項３４】
請求項３１〜３３のうちいずれか一項に記載のガイドワイヤにおいて、前記スリーブの一方の端部を、前記ガイドワイヤの球状部分に固定し、前記スリーブの他方の端部を、前記コアワイヤに固定したガイドワイヤ。
【請求項３５】
請求項３１〜３４のうちいずれか一項に記載のガイドワイヤにおいて、前記スリーブを、前記ガイドワイヤにはんだ付けによって固定したガイドワイヤ。
【請求項３６】
請求項３１〜３５のうちいずれか一項に記載のガイドワイヤにおいて、前記スリーブを、前記スリーブの外周縁が前記球状部分の横断面によって画定される外周縁とほぼ一致する横断面を有するものとしたガイドワイヤ。
【請求項３７】
請求項３０〜３５のうちいずれか一項に記載のガイドワイヤにおいて、前記スリーブの末端部を、Ｘ線不透過性材料で形成したガイドワイヤ。
【請求項３８】
請求項３１〜３７のうちいずれか一項に記載のガイドワイヤにおいて、前記スリーブを、Ｘ線不透過性材料で形成したガイドワイヤ。
【請求項３９】
請求項３１〜３８のうちいずれか一項に記載のガイドワイヤにおいて、前記スリーブを、以下の金属、すなわち、プラチナ、プラチナ合金、金、タンタル、のうち１個またはそれ以上から選択した金属で形成したガイドワイヤ。
【請求項４０】
請求項３１〜３９のうちいずれか一項に記載のガイドワイヤにおいて、前記スリーブを、らせん状に巻回したヘリカルコイルにより構成したガイドワイヤ。
【請求項４１】
請求項３１〜４０のうちいずれか一項に記載のガイドワイヤにおいて、前記スリーブを、緊密に巻回したヘリカルコイルにより構成したガイドワイヤ。
【請求項４２】
請求項３１〜４１のうちいずれか一項に記載のガイドワイヤにおいて、前記スリーブを、プラスチック材料で形成したガイドワイヤ。
【請求項４３】
請求項３１〜４２のうちいずれか一項に記載のガイドワイヤにおいて、前記スリーブは、長手方向に延びる少なくとも２個のスリーブ部分を有するものとし、その一方のスリーブ部分をプラスチック材料により形成し、他方のスリーブ部分を緊密に巻回したヘリカルコイルにより形成したガイドワイヤ。
【請求項４４】
請求項１〜４３のうちいずれか一項に記載のガイドワイヤにおいて、対象生体であるヒトもしくは動物の体内の遠隔部位にアクセスするために使用するガイドワイヤ。
【請求項４５】
外科的もしくはその他の処置で、対象生体であるヒトもしくは動物の体内の遠隔部位にアクセスするために用いられるカテーテルと細長いガイドワイヤとの組立体において、前記細長いガイドワイヤを、請求項１〜４４のうちいずれか一項に記載のガイドワイヤとしたカテーテル組立体。
【請求項４６】
外科的もしくは他の処置で、対象生体であるヒトもしくは動物の体内の遠隔部位にアクセスするために使用するカテーテルと細長いガイドワイヤとの組立体において、前記ガイドワイヤは、長手方向に延びる中心軸線を画定し、遠隔部位にアクセスする末端部と、この末端部から離れている基端部との間で軸線方向に延在し、末端部に隣接するガイドワイヤの末端部分は、１対の互いに離れる大表面、およびこれら大表面間に延在する１対の小表面を画定するほぼ長方形横断面を有し、前記末端部分は、さらに、大表面間に存在しかつ小表面を二分する中心大平面、および小表面間に存在しかつ大表面を二分する中心小平面を画定する該組立体において、前記末端部分を前記中心大平面上で湾曲した形状の湾曲部を生ずるよう屈曲させて、前記中心大平面上に存在しかつ前記湾曲部から前記中心軸線に対して０゜以上の角度をなして延在するアライメント部分を形成し、対象生体の分岐した脈管内にガイドワイヤを案内し易くしたことを特徴とするカテーテル組立体。
【請求項４７】
外科的もしくは他の処置で、対象生体であるヒトもしくは動物の体内の遠隔部位にアクセスするために使用する細長いガイドワイヤを形成する方法において、
１対の互いに離れる大表面、およびこれら大表面間に延在する１対の小表面を画定するほぼ長方形横断面を有し、前記末端部分は、さらに、大表面間に存在しかつ小表面を二分する中心大平面、および小表面間に存在しかつ大表面を二分する中心小平面を画定するガイドワイヤの末端部分を形成するステップと、
前記末端部分を前記中心大平面上で湾曲した形状の湾曲部を生ずるよう屈曲させて、前記中心大平面上に存在しかつ前記湾曲部から前記中心軸線に対して０゜以上の角度をなして延在するアライメント部分を形成し、対象生体の分岐した脈管内にガイドワイヤを案内し易くするステップと
よりなることを特徴とするガイドワイヤ形成方法。
【請求項４８】
請求項４７に記載の方法において、前記アライメント部分を、中心軸線に対して最大９０°の角度をなして延在させる方法。
【請求項４９】
請求項４８に記載の方法において、前記アライメント部分を、中心軸線に対して最大６０°の角度で屈曲させる方法。
【請求項５０】
請求項４９に記載の方法において、前記アライメント部分を、中心軸線に対して最大４５°の角度をなして延在させる方法。
【請求項５１】
請求項５０に記載の方法において、前記アライメント部分を、中心軸線に対して最大３０°の角度をなして延在させる方法。
【請求項５２】
請求項４７または４８のいずれかに記載の方法において、前記アライメント部分を、中心軸線に対して３０°〜９０°の範囲の角度をなして延在させる方法。
【請求項５３】
請求項４７〜５１のうちいずれか一項に記載の方法において、前記ガイドワイヤの末端部分を、屈曲による末端部分の曲線形状を保持する材料で形成する方法。
【請求項５４】
請求項４７〜５２のうちいずれか一項に記載の方法において、前記ガイドワイヤの末端部分を、屈曲による末端部分の曲線形状を保持する寸法に形成する方法。
【請求項５５】
請求項４７〜５４のうちいずれか一項に記載の方法において、前記ガイドワイヤの末端部分を中心小平面上で屈曲可能にし、それによって、対象生体の分岐した脈管内にガイドワイヤを案内し易くするために、前記アライメント部分の少なくとも一部を中心大平面から曲げ出す前記末端部分の屈曲を容易にした方法。
【請求項５６】
請求項５５に記載の方法において、前記ガイドワイヤの末端部分を、中心小平面上における末端部分の手操作屈曲が容易な材料で形成する方法。
【請求項５７】
請求項５５または５６に記載の方法において、前記ガイドワイヤの末端部分を、中心小平面上における末端部分の手操作屈曲が容易となる寸法に形成する方法。
【請求項５８】
請求項４７〜５７のうちいずれか一項に記載の方法において、前記ガイドワイヤの末端部分をステンレス鋼で形成する方法。
【請求項５９】
請求項４７〜５８のうちいずれか一項に記載の方法において、前記ガイドワイヤの末端部分の大表面相互が、末端部に向かって互いに収斂するように形成する方法。
【請求項６０】
請求項４７〜５９のうちいずれか一項に記載の方法において、前記ガイドワイヤの末端部分の小表面相互が、末端部に向かって互いに拡開するように形成する方法。
【請求項６１】
請求項４７〜６０のうちいずれか一項に記載の方法において、前記中心小平面上での末端部分の屈曲を最小にするために、前記ガイドワイヤの末端部分に、補強手段を設ける方法。
【請求項６２】
請求項６１に記載の方法において、前記補強手段を、前記ガイドワイヤの末端部分の少なくとも一部に沿って前記末端部分の基端部から延在させる方法。
【請求項６３】
請求項６１または６２に記載の方法において、前記補強手段を、前記アライメント部分の少なくとも一部に沿って延在させる方法。
【請求項６４】
請求項６１〜６３のうちいずれか一項に記載の方法において、前記補強手段を、前記アライメント部分の末端部から離れた位置で終端させる方法。
【請求項６５】
請求項６１〜６４のうちいずれか一項に記載の方法において、前記補強手段を、前記末端部分により画定される前記中心小平面にほぼ一致して存在するように設ける方法。
【請求項６６】
請求項６１〜６５のうちいずれか一項に記載の方法において、前記補強手段を、前記末端部分の大表面のうち一方の大表面に沿って延びている細長い補強材によって設ける方法。
【請求項６７】
請求項４７〜６６のうちいずれか一項に記載の方法において、前記ガイドワイヤに、前記基端部から前記末端部分にわたり延在する細長いコアワイヤを形成する方法。
【請求項６８】
請求項６７に記載の方法において、前記ガイドワイヤの末端部分を、コアワイヤと一体に形成する方法。
【請求項６９】
請求項６７または６８に記載の方法において、前記ガイドワイヤの末端部分を、コアワイヤによって形成する方法。
【請求項７０】
請求項６７に記載の方法において、前記ガイドワイヤの末端部分を、前記コアワイヤとは別個に形成して、前記コアワイヤに固定する方法。
【請求項７１】
請求項６７〜７０のうちいずれか一項に記載の方法において、脈管に傷をつけることなくガイドワイヤを対象生体の脈管内に案内し易くするために、前記ガイドワイヤの末端部分を、ガイドワイヤの末端部の球状部分で終端させる方法。
【請求項７２】
請求項７１に記載の方法において、前記球状部分に丸みを持たせる方法。
【請求項７３】
請求項７１または７２に記載の方法において、前記球状部分が、ガイドワイヤの末端部を画定し、かつ半球状の末端部を画定する方法。
【請求項７４】
請求項７１〜７３のうちいずれか一項に記載の方法において、前記球状部分から基端部の方向に向けてガイドワイヤに沿って延在するスリーブを設け、また、前記コアワイヤをスリーブ内に貫通させる方法。
【請求項７５】
請求項７４に記載の方法において、前記スリーブを、ガイドワイヤの末端部分と基端部の中間の位置で終端させる方法。
【発明の詳細な説明】
【技術分野】
【０００１】
本発明は、外科的もしくは他の手順処置で、対象生体であるヒトもしくは動物の体内の遠隔部位にアクセスするために使用するガイドワイヤに関し、また、これに限定するものではないが、カテーテルに使用するガイドワイヤに関する。また、本発明は、ガイドワイヤ成形する方法、カテーテルとガイドワイヤとの組立体、および対象生体であるヒトまたは動物の体内の遠隔部位にアクセスするためのガイドワイヤに関する。
【背景技術】
【０００２】
対象生体であるヒトまたは動物の体内の遠隔部位において、カテーテルの末端部の位置決めを行うためのガイドワイヤは既知である。この種のガイドワイヤは一般的に、心臓血管の処置を行うことができるようにするために、細い血管に沿ってカテーテルを対象生体の心臓血管系内の目的部位まで案内するのに使用する。一般的に、ガイドワイヤは、対象生体の大腿部もしくは腕の適切な血管にカニューレを介して導入し、心臓血管系内の目的部位まで血管中に挿通する。ガイドワイヤが目的部位に到達すると、カテーテルをガイドワイヤ上に沿って目的部位まで前進させる。ガイドワイヤは、脈管系の他の部位、腎臓系の部位、ならびに、対象生体であるヒトもしくは動物のその他の系の部位にカテーテルを導くためにも広く使用されている。
【０００３】
ガイドワイヤを通過させなければならない血管の直径が比較的狭いため、また、特に血管系および他の器官系における血管が曲がりくねっており、ガイドワイヤは多くの血管の分岐を通らなくてはならないので、ガイドワイヤは、脈管やその他の器官系を通過する際に、血管の分岐のうち適切なものを通るようにガイドワイヤを容易に整列できる構造にすることが重要である。整列が行われた結果、ガイドワイヤをさらに押し進めることによって、ガイドワイヤは所要の分岐血管に進入し、それを通り抜けることができる。
【０００４】
分岐血管内に、即座にかつ容易に、整列し、押し進めることができるガイドワイヤを得るためのさまざまな試みが行われてきた。例えば、シャンク氏(Shank）の米国特許第５,３６５,９４２号明細書は、コアワイヤを有するガイドワイヤについて記載しており、コアワイヤの末端部分は平坦化し、対象生体の体内にガイドワイヤを挿入する前に外科医または医療補助員によって、ガイドワイヤの末端部分を手で容易に曲げることが出来るようにしている。これによって、末端部分を曲げてガイドワイヤの末端チップをオフセットし、例えば、血管系にガイドワイヤを前進させている際に、ガイドワイヤを回転させることにより、オフセットした末端チップを分岐する血管に整列させてガイドワイヤを通過させることができる。このようにして、ガイドワイヤを脈管系内にさらに押し進めることによって、ガイドワイヤは分岐脈管に進入する。シャンク氏(Shank）の米国特許の開示では、コアワイヤの末端部分を平坦化したことによって、その平坦部分の平面からコアワイヤを容易に曲げ出すことができる。しかしながら、末端部分を平坦化することは、コアワイヤの柱強度を低下させがちであり、ガイドワイヤにおいては、脈管からその分岐した脈管に押し進めるときに、ガイドワイヤはよじれたままになる傾向がある。このように末端部が分岐脈管に進入した後に末端部がよじれたままの状態であることは、ガイドワイヤを血管系内にさらに押し進める際に、末端部が分岐脈管から抜け出る恐れがある。さらに、このようなよじれはガイドワイヤを捻転させることがあり、一般的にはこれによって、ガイドワイヤは使用不能になる。
【発明の開示】
【発明が解決しようとする課題】
【０００５】
したがって、外科的もしくは他の処置において対象生体であるヒトもしくは動物の体内の遠隔部位にアクセスするために使用するガイドワイヤに対する要望がある。
【０００６】
本発明の目的は、このようなガイドワイヤを得るにあり、またカテーテルとガイドワイヤの組立体を得るにあり、さらに従来技術によるガイドワイヤの課題を解決するガイドワイヤの形成方法を得るにある。さらにまた本発明の目的は、対象生体であるヒトもしくは動物の体内の遠隔部位にアクセスするために使用するガイドワイヤを得るにある。
【課題を解決するための手段】
【０００７】
本発明によれば、、対象生体であるヒトもしくは動物の体内の遠隔部位にアクセスするよう外科手術もしくは他の処置に使用する細長いガイドワイヤであって、長手方向に延びる中心軸線を画定し、遠隔部位にアクセスする末端部と、この末端部から離れている基端部との間で軸線方向に延在し、前記末端部に隣接するガイドワイヤの末端部分は、１対の互いに離れる大表面、およびこれら大表面間に延在する１対の小表面を画定するほぼ長方形横断面を有し、前記末端部分は、さらに、大表面間に存在しかつ小表面を二分する中心大平面、および小表面間に存在しかつ大表面を二分する中心小平面を画定する該ガイドワイヤにおいて、前記末端部分を前記中心大平面上で湾曲した形状の湾曲部を生ずるよう屈曲させて、前記中心大平面上に存在しかつ前記湾曲部から前記中心軸線に対して０゜以上の角度をなして延在するアライメント部分を形成し、対象生体の分岐した脈管内にガイドワイヤを案内し易くしたことを特徴とする。
【発明の効果】
【０００８】
本発明の利点は多い。本発明によるガイドワイヤは、良好な柱強度を有しており、特に、コアワイヤが平坦化した末端部分で終端するガイドワイヤから得られるよりもかなり大きい柱強度を有する。末端部分によって画定される仮想的な中心大平面において末端部分が屈曲している構造により、そのガイドワイヤの柱強度は相当向上する。したがって、末端部分のアライメント部分を分岐脈管内に押し進めるとき、脈管もしくはその他の器官系内にガイドワイヤのさらに押し進めることにより、ガイドワイヤのよじれを生ずる危険性なくガイドワイヤを分岐脈管に挿通することができる。
【０００９】
中心大平面上における湾曲部を形成するよう末端部分を屈曲させる（この屈曲は代表的には向上で形成する）ことにより、一般的に、外科医は末端部分をさらに屈曲させる必要はないはずである。したがって、末端部分は、他の方法で得られるよりも大きい長方形横断面にすることができる。しかし、必要であれば、末端部分によって画定される中心小平面における屈曲を行えるような大きさの長方形横断面であってもよい。この中心小平面における屈曲は、ガイドワイヤを対象生体の脈管系もしくはその他の系に挿入する前に、外科医もしくは医療補助員によって行うことができる。しかしながら、末端部分の長方形の横断面が、末端部分によって規定される中心小平面上での末端部分の後から行う屈曲を容易にするような大きさであっても、末端部分は、末端部分によって規定される中心大平面上で屈曲しているので、末端部分に隣接するガイドワイヤのよじれを回避するのに十分な柱強度をもたらすことができる。
【００１０】
さらに、ガイドワイヤの末端部分を、末端部分によって規定される中心小平面において手で屈曲するのに適した長方形横断面にすることで、末端部分の中心大平面に形成する湾曲を同様に、末端部分は、対象生体の脈管系もしくはその他の系にガイドワイヤを挿入する前に外科医もしくは医療補助員によって、末端部分によって画定される中心小平面において後から手で屈曲することが可能になり、ガイドワイヤを脈管系もしくはその他の系内に押し進めるときに、分岐脈管においてガイドワイヤのアライメント部分を脈管に整列することがさらに容易になる。したがって、本発明によるガイドワイヤは、アライメント部分の三次元的な形成を容易にするように設けることができる。
【００１１】
実際、末端部分によって画定される中心小平面において末端部分を後から屈曲することを容易にするために、末端部分を長方形の横断面を持つように設けることの利点は、末端部分がその中心大平面および中心小平面の両方で屈曲しているとき、末端部分はを脈管系もしくはその他の系内に押し進める際に、末端部分がコークスクリューもしくはらせん型効果の作用を生ずるようになる点である。
【発明を実施するための最良の形態】
【００１２】
本発明の一実施例においては、アライメント部分を、中心軸線に対して最大９０°の角度をなして延在する構成とする。
【００１３】
本発明の他の実施例においては、アライメント部分を、中心軸線に対して最大６０°の角度をなして延在する構成とする。
【００１４】
本発明のさらに他の実施例においては、アライメント部分を、中心軸線に対して最大４５°の角度をなして延在する構成とする。
【００１５】
本発明のさらにまた他の実施例においては、アライメント部分を、中心軸線に対して最大３０°の角度をなして延在する構成とする。
【００１６】
本発明の一実施例においては、アライメント部分を、中心軸線に対して３０°〜９０°の範囲の角度をなして延在する構成とする。
【００１７】
望ましくは、ガイドワイヤの末端部分を、屈曲による末端部分の湾曲形状を保持する材料で形成する。またガイドワイヤの末端部分を、屈曲による末端部分の湾曲形状を維持できる寸法にすると有利である。
【００１８】
本発明の一実施例においては、ガイドワイヤの末端部分を中心小平面上で屈曲可能にし、それによって、対象生体の分岐した脈管内にガイドワイヤを案内し易くするために、前記アライメント部分の少なくとも一部を中心大平面から曲げ出す前記末端部分の屈曲を容易にする。好ましくは、ガイドワイヤの末端部分を中心小平面中上で屈曲可能にし、それによって、対象生体の分岐した脈管内にガイドワイヤを案内し易くするために、前記アライメント部分を中心大平面から曲げ出す前記末端部分の屈曲を容易にする。
【００１９】
本発明の一実施例においては、ガイドワイヤの末端部分を、中心小平面上における末端部分の手操作屈曲が容易な材料で形成する。ガイドワイヤの末端部分を、中心小平面上における末端部分の手操作屈曲が容易となる寸法にすると有利である。
【００２０】
本発明の他の実施例においては、ガイドワイヤの末端部分をステンレス鋼材料で形成する。
【００２１】
好ましくは、ガイドワイヤの末端部分の大表面相互が、末端部に向かって互いに収斂する構成とする。ガイドワイヤの末端部分の小表面相互が、末端部に向かって互いに拡開する構成とすると有利である。代案として、ガイドワイヤの末端部分の小表面相互を互いに平行あれば都合がよいにする。
【００２２】
本発明の一実施例においては、中心小平面上での末端部分の屈曲を最小にするためにガイドワイヤの末端部分に補強手段を設ける。好ましくは、補強手段を、アライメント部分の少なくとも一部に沿って末端部分の基端部から延在させる。補強手段が少なくともアライメント部分の一部に沿って延在させると有利であり、また理想的には、補強手段をアライメント部分の末端部から離れた位置で終端させる。
【００２３】
本発明の一実施例においては、補強手段を、末端部分によって画定される中心小平面とほぼ一致して存在させる。
【００２４】
本発明の他の実施例においては、補強手段を、端部分の大表面のうち一方の大表面に沿って延びている細長い補強材有するものとして構成する。
【００２５】
本発明の一実施例においては、ガイドワイヤを、基端部から末端部分まで延びる細長いコアワイヤを有するものとして構成する。
【００２６】
本発明の他の実施例においては、コアワイヤを、末端部分で終端させる。
【００２７】
本発明のさらに他の実施例においては、ガイドワイヤの末端部分を、コアワイヤと一体的に形成する。
【００２８】
好ましくは、ガイドワイヤの末端部分をコアワイヤによって形成する。代案として、ガイドワイヤの末端部分をコアワイヤとは個別に形成し、コアワイヤに固定する。
【００２９】
本発明の一実施例においては、脈管を傷つけることなく対象生体の脈管内に案内し易くするために、ガイドワイヤの末端部分を、ガイドワイヤの末端部の球状部分で終端させる。好ましくは、球状部分に丸みを持たせる。そして球状部分はガイドワイヤの末端部を画定し、かつ末端部を半球状にすると有利である。
【００３０】
本発明の他の実施例においては、ガイドワイヤは、球状部分から基端部方向に延びるスリーブを有するものとし、また、コアワイヤをスリーブ内に貫通させる。
【００３１】
好ましくは、スリーブを、ガイドワイヤの末端部分を越えて、基端部の方向にコアワイヤに沿って延在させる。スリーブをガイドワイヤの末端部分および基端部の中間の位置で終端させると有利である。
【００３２】
理想的には、スリーブの一方の端部を、前記ガイドワイヤの球状部分に固定し、また、スリーブの他方の端部を、コアワイヤに固定する。
【００３３】
本発明の一実施例においては、スリーブを、ガイドワイヤにはんだ付けによって固定する。
【００３４】
本発明の他の実施例においては、スリーブを、その外周縁が球状部分の横断面によって画定される外周縁にほぼ一致するような横断面を有するものとして構成する。
【００３５】
本発明の他の実施例においては、スリーブの末端部を、Ｘ線不透過性材料で形成する。好ましくは、スリーブを、Ｘ線不透過材料で形成する。
【００３６】
本発明の一実施例においては、スリーブを、以下の金属、すなわち、プラチナ、プラチナ合金、金、タンタルのうち１個またはそれ以上から選択した選択した金属で形成する。
【００３７】
本発明の他の実施例においては、スリーブを、らせん状に巻回したヘリカルコイルにより構成する。好ましくは、スリーブを、緊密に巻回したヘリカルコイルにより構成する。
【００３８】
代案として、もしくは付加的に、スリーブをプラスチック材料で形成する。
【００３９】
本発明の一実施例においては、スリーブは、長手方向に延びる少なくとも２個のスリーブ部分を有するものとし、その一方のスリーブ部分をプラスチック材料により形成し、他方のスリーブ部分を緊密に巻回したヘリカルコイルにより形成する。
【００４０】
さらに、本発明は、対象生体であるヒトもしくは動物の体内の遠隔部位にアクセスするため、本発明によるガイドワイヤを提供する。
【００４１】
本発明はまた、外科的またはその他の処置で、対象生体であるヒトもしくは動物の体内の遠隔部位にアクセスするためのカテーテルと細長いガイドワイヤとの組立体も提供する。
【００４２】
さらに本発明は、対象生体であるヒトもしくは動物の体内の遠隔部位にアクセスするために、外科的もしくはその他の処置において使用されるカテーテルと細長いガイドワイヤとの組立体を提供する。このガイドワイヤは、長手方向に延びる中心軸線を画定し、遠隔部位にアクセスする末端部と、この末端部から離れている基端部との間で軸線方向に延在し、末端部に隣接するガイドワイヤの末端部分は、一対の互いに離れる大表面、およびこれら大表面間に延在する一対の互いに離れる小表面を画定するほぼ長方形横断面を有し、末端部分はさらに、大表面間に存在しかつ小表面を二分する仮想的な中心大平面、および小表面間に存在しかつ大表面を二分する仮想的な中心小平面を画定する該組立体において、末端部分を中心大平面上で湾曲した形状の湾曲部を生ずるよう屈曲させて、前記中心大平面上に存在しかつ湾曲部から中心軸線に対して０゜以上の角度をなして延在するアライメント部分を形成し、対象生体の分岐した脈管内にガイドワイヤを案内し易くする。
【００４３】
本発明は、外科的もしくは他の処置で、対象生体であるヒトもしくは動物の体内の遠隔部位にアクセスするために使用する細長いガイドワイヤを形成するための方法も提供する。この方法は以下のステップよりなる。
【００４４】
１対の互いに離れる大表面、およびこれら大表面間に延在する１対の小表面を画定するほぼ長方形横断面を有し、前記末端部分は、さらに、大表面間に存在しかつ小表面を二分する中心大平面、および小表面間に存在しかつ大表面を二分する中心小平面を画定するガイドワイヤの末端部分を形成するステップ。
【００４５】
および、前記末端部分を前記中心大平面上で湾曲した形状の湾曲部を生ずるよう屈曲させて、前記中心大平面上に存在しかつ前記湾曲部から前記中心軸線に対して０゜以上の角度をなして延在するアライメント部分を形成し、対象生体の分岐した脈管内にガイドワイヤを案内し易くするステップ。
【００４６】
単に例として掲げた以下の幾つかの好適な実施例を、添付図面につき説明することにより、本発明をより明瞭に理解できるであろう。
【実施例】
【００４７】
図面を参照して、まず図１〜図７を参照して説明すると、参照符号１により全体を示す本発明によるガイドワイヤは、カテーテル(図示せず)と共に用いられ、カテーテルを対象生体であるヒトもしくは動物の体内の遠隔部位まで導くためのものである。この本発明の実施例におけるガイドワイヤ１は、特に対象生体の心血管系内の遠隔部位にアクセスするのに適しており、カテーテル(図示せず)を遠隔部位まで導くものである。しかし、当業者にとっては 、ガイドワイヤ１が対象生体であるヒトもしくは動物の体内の、脈管系もしくはその他の器官系内のあらゆる遠隔部位にアクセスするのに適していることは明らかであろう。例えばガイドワイヤ１は、腎臓系、神経管系、卵管、および、他の管状器官および部位にアクセスするのに適している。
【００４８】
ガイドワイヤ１は、細長いコアワイヤ２を有する。本発明の実施例においては、このコアワイヤはステンレス鋼により形成し、そして長手方向に延びる中心軸線４を画定し、基端部５から末端部６まで延びている。コアワイヤ２の末端部６は、ステンレス鋼材製の球状部分８で終端し、この球状部分は半球状の先導端部を形成し、ガイドワイヤ１を対象生体の脈管系中を先導し内に案内し易く、また、ガイドワイヤ１が前進する脈管系の壁を傷つけたり破裂させたりその他損傷を与えることを回避する。本発明のこの実施例においては、円形の横断面を持つきつく巻かれたヘリカルコイルによって形成し、Ｘ線不透過材料、すなわち、プラチナ合金材料で形成したスリーブ９を、球状部分８から基端部の方向に向かって延在させ、コアワイヤ２の部分１０で終端させる。。スリーブ９は、コアワイヤ２の末端部６にはんだ付けによって固定し、このはんだが半球状の球状部分８を形成する。したがって、球状部分８の直径はスリーブ９の外径とほぼ一致する。また、スリーブ９は、部分１０においてやはりはんだでコアワイヤ２に固定する。
【００４９】
本発明のこの実施例においては、コアワイヤ２は円形横断面を有し、減少した円形横断面を有する部分１５に向けて三つの段階のテーパ段１１,１２,１３のテーパを設ける。コアワイヤ２の末端部分１６は部分１５から球状部分８にかけて延びており、また、１対の小表面２０，２１によって連結される１対の大表面１８，１９を画定する長方形横断面を有する。大表面１８，１９相互は部分１５から球状部分８に向かって互いに収斂するとともに、小表面２０，２１相互は部分１５から球状部分８に向かって互いに拡開する。末端部分１６はまた、大表面１８，１９の間に位置し、小表面２０，２１を二等分する中心大平面２４を仮想的に画定する（図３参照）。仮想的な中心小平面２５も、同様に末端部分１６によって画定され、小表面２０，２１の間にあり、大表面１８，１９をそれぞれ二等分する。
【００５０】
アライメント部分２７は、ガイドワイヤ１が対象生体の脈管系を通るにあたって内に押し通すとき、分岐血管にガイドワイヤ１の末端部６の整列を容易に行えるようにするために末端部分１６に予め形成する。アライメント部分２７は、中心大平面２４上で末端部分１６を屈曲することによって湾曲部分２８を形成し、アライメント部分２７はこの湾曲部分２８から延びるようにする。したがって、湾曲部分２８およびアライメント部分２７は末端部分１６の残りの部分とともに、すべて中心大平面２４上に存在する。本発明のこの実施例においては、アライメント部分２７はコアワイヤ２から中心軸線４に対して約９０゜の角度θをなして延びているが、アライメント部分２７はコアワイヤ２から中心軸線４に対して任意の所要角度θを取ることができ、例えば、角度θは、３０°，４５°，６０°または、その他の所要の角度で延びるようにすることができる。
【００５１】
本発明のこの実施例においては、末端部分１６をステンレス鋼製とし、コアワイヤ２を形成するステンレス鋼と同一のピースから形成する。
【００５２】
末端部分１６を有するコアワイヤ２の形成は以下のようにして行う。まず最初に、コアワイヤ２に、テーパ段１１，１２，１３を形成する整形を行う。末端部分１６は、最初は、部分１５の直径と同じ直径で形成されている。つぎに、所要曲率の湾曲部を、末端部分１６に形成し、このことにより、最終的にアライメント部分２７および末端部分１６の湾曲部分２８を生ずる。末端部分１６に湾曲部を形成した後、末端部６に向かって互いに収斂する大表面１８，１９および末端部６に向かって互いに拡開する小表面２０，２１は末端部６に向けて広がるを有する長方形横断面に整形する。末端部分１６の形成が終わった後、スリーブ９を末端部分１６上に挿通し、そしてコアワイヤ２にそって部分１０まで通過させる。つぎに、スリーブ９を末端部分１６の末端部６にはんだ付けし、球状部分８を形成し、またスリーブのもう一端は部分１０においてコアワイヤ２にはんだ付けする。
【００５３】
末端部分１６の湾曲部の成形は任意の適当な方法によっておこなうことができる。たとえば適切に整形したジグの周りに整形末端部分１６を屈曲させることにより、適切に成形された治具周辺で湾曲部を形成できる。末端部分１６を長方形横断面を持つように成形することは、任意の適切な方法によって行うことができ、例えば、適切なプレスツール内でプレス加工する、もしくはカムローラを使用して成形できる。
【００５４】
代案として、末端部分１６は、コアワイヤ２とは別個に成形することもでき、例えば平坦な素材から適切に湾曲した帯状体を切削することによって、またはレーザー、プレスツールもしくは電気化学的エッチングを使用し、末端部分１６を適切な長方形横断面を有するように整形することができる。このように形成した末端部分１６は、コアワイヤ２に、はんだ付け、ロウ付け、溶接、または別の方法で固定する。
【００５５】
代案として、末端部分１６がコアワイヤ２に一体に形成されている場合、オフセットローラを使用してテーパ部分および湾曲部を１回のプレス作業で形成することもできる。
【００５６】
本発明の図示の実施例においては、コアワイヤ２のステンレス鋼材料を選択し、末端部分１６の寸法および形状は、末端部分１６の長方形横断面が中心小平面２５内での末端部分１６の手操作により曲げて末端部分１６に２度の湾曲自由度、すなわち、中心大平面２４内での末端部分１６の湾曲部分２８が形成する湾曲および中心小平面２５内での末端部分１６の湾曲を生ずることができる寸法および形状とする。末端部分１６を中心小平面２５において手動で屈曲可能にすることによって、外科医はガイドワイヤ２を対象生体の体内に挿入する前に末端部分１６を手操作で屈曲することができる。ここにおいてアライメント部分２７の全部もしくは一部が中心大平面２４および中心小平面２５において屈曲可能であるようにすることで、ガイドワイヤ１が対象生体の脈管系に前進させるに当たり、末端部６を分岐血管に容易に整列することができるようになる。
【００５７】
図１〜７では、ガイドワイヤ１は末端部分１６が中心大平面２４において屈曲した状態に描き、したがって、アライメント部分２７は中心軸線４に対して角度θが９０°の状態で延びている。しかし、一組のガイドワイヤを設け、一組のセットにおけるそれぞれのガイドワイヤには、中心軸線に対して９０°までの異なる角度θをなして延びているようなアライメント部分２７を設けることもできる。角度θの代表的な値としては、３０°，４５°，６０度、ならびに９０°がある。
【００５８】
使用にあたり、対象生体の体内のアクセスすべき脈管系もしくはその他の器官系に基づいて、中心大平面２４においてアライメント部分２７が中心軸線４に対して望ましい角度θで屈曲した末端部分１６を有するガイドワイヤ１を選択する。そうするのが適切であれば、末端部分１６およびアライメント部分２７に対して、中心大平面２４および中心小平面２５において湾曲を付与するため、外科医もしくは医療補助員が末端部分１６を中心小平面２５において手で屈曲する。末端部分１６を中心小平面２５において屈曲し、望ましい湾曲度であれば、ガイドワイヤ１は使用準備が整っていることになる。この状態でガイドワイヤ１を従来と同じ方法で対象生体の脈管系内に押し進める。ガイドワイヤ１の末端部６がガイドワイヤ１の進むべき分岐脈管に達したとき、ガイドワイヤ１の基端部５を回転させることによってガイドワイヤ１を回転させ、アライメント部分２７を分岐した血管に整列させる。つぎに、ガイドワイヤ１を脈管系内にさらに押し進めることにより、ガイドワイヤ１の末端部６を分岐脈管内に押し進めることができ、またガイドワイヤを脈管系内にさらに押し進めることにより、ガイドワイヤ１は分岐脈管を通過することができる。
【００５９】
つぎに、図８および図９を参照して説明すると、ここでは本発明の他の実施例におけるガイドワイヤの一部を参照符号３０で示す。ガイドワイヤ３０はガイドワイヤ１とほぼ類似しており、そしてそれらの類似した構成要素は同一参照符号によって示す。ガイドワイヤ３０およびガイドワイヤ１の主な相違点は、ガイドワイヤ３０の末端部分１６の湾曲部分２８の屈曲が、ガイドワイヤ１の末端部分１６の湾曲部分２８の屈曲に比べ、鋭くないという点である。それ以外の点においてはガイドワイヤ３０はガイドワイヤ１と類似しており、その使用方法も同じく類似している。
【００６０】
つぎに、図１０を参照して説明すると、ここでは本発明のさらに他の実施例におけるガイドワイヤの一部を参照符号４０で示す。ガイドワイヤ４０はガイドワイヤ１と実質的に類似している。そしてそれらの類似した構成要素は同一参照符号によって識別示す。しかしながら、本発明のこの実施例においては、ガイドワイヤ４０の末端部分１６の半分のみを図１０に示す。末端部分１６は、中心大平面２４に沿って二分され表示されている。末端部分１６のもう半分は、図示の部分と鏡像関係にある。本発明のこの実施例においては、細長い補強プレート４１の形式の補強材によって生ずる補強手段が、末端部分１６の各大表面１８，１９に沿って延在し、末端部分１６の柱強度を向上させ、また、中心小平面２５における末端部分１６の不慮の屈曲を最小限に抑える。補強プレート４１は大表面１８，１９に沿って存在し、湾曲部分２８よりも手前から末端部分１６の中心小平面２５と一致する。補強プレート４１は、末端部分１６に対して一体的に形成するか、または個別に形成し、末端部分１６にはんだ付けもしくはロウ付けする。補強プレート４１を設けることの効果は、補強プレート４１が中心小平面２５上にあることによって、ガイドワイヤ１を対象生体の脈管系内に挿入し進ませるときに、中心小平面２５における曲げまたはよじれに対する末端部分１６の剛性を高める作用をする。実際、一般には補強プレート４１を、外科医もしくは医療補助員が末端部分１６を中心小平面において手で屈曲させやすいような材料、および寸法にして形成することができ、この結果、末端部分１６は、中心大平面２４および中心小平面２５の両方で屈曲可能で、その中心小平面における屈曲は、末端部６に隣接する位置で、アライメント部分２７にコークスクリュー型の作用を付与する。中心小平面２５における末端部分１６の屈曲は、外科医もしくは医療補助員が装置を使用する前に手で行うのが一般的であるが、ガイドワイヤの製造中に末端部分を中心小平面２５内で曲げを付与しておくこともできる。
【００６１】
つぎに、図１１〜図１４を参照して説明すると、ここでは本発明のさらにまた他の実施例におけるガイドワイヤの一部を参照符号５０で示す。ガイドワイヤ５０はガイドワイヤ１とほぼ類似している。そして、それらの類似した構成要素は同一参照符号によって識別する。ガイドワイヤ５０およびガイドワイヤ１の主な相違点は、末端部分１６に関する相違である。本発明のこの実施例においては、末端部分１６は、ガイドワイヤ１のようにテーパ付けするというよりむしろ、ほぼ平坦である。初期テーパ部分５１は、部分１５から比較的平坦な末端部分１６までコアワイヤ２に急激なテーパを付ける。
【００６２】
その他の点においては、ガイドワイヤ５０は、ガイドワイヤ１と類似している。
【００６３】
図１〜１４につき説明したガイドワイヤのコアワイヤ、末端部分、球状部分およびスリーブは、特別な材料で形成すると記載してきたが、コアワイヤ、末端部分、球状部分およびスリーブはその他の望ましいもしくは適当な材料から形成することもでき、また場合によっては、コアワイヤを、ニッケル‐チタン合金、もしくはポリマー材料、もしくはプラスチック素材であることができることを想定している。またスリーブは、プラスチック材料で形成したり、またはスリーブの一部をプラスチック材料にすることもできる。スリーブをプラスチック材料で形成する場合には、スリーブは管状スリーブとして形成することができる。
【００６４】
また、スリーブをＸ線不透過性材料から形成する代わりに、ガイドワイヤの末端部に隣接するガイドワイヤの一部をＸ線不透過材料で形成することができ、球状部分は、個別にＸ線不透過性材料、例えばプラチナ合金から形成し、末端部６においてコアワイヤ２に、そしてスリーブにロウ付けすることもできる。
【００６５】
言うまでもなく、末端部分を、Ｘ線不透性材料で形成してもよい。
【００６６】
末端部分を長方形横断面にすると記載したが、この末端部分の横断面は厳密に長方形である必要はない。例えば、小表面が凸状であってもよい。
【００６７】
ガイドワイヤの末端部の球状部分が、スリーブをコアワイヤにはんだ付けする際のはんだによって形成すると記載したが、球状部分はその他の任意の材料によって形成してもよい。例えば、スリーブをコアワイヤにロウ付けや溶接する際に使用される材料や、スリーブをコアワイヤに接着する際に使用する接着剤でによって形成してもよい。代案として、球状部分は、個別に形成し、コアワイヤおよびスリーブに、任意の適切な接着手段によって接合してもよい。たとえば、はんだ付け、溶接、ロウ付け、適切な接着剤による接着、等によることができる。
【００６８】
上述したように、末端部分はコアワイヤの材料から形成することができ、もしくは末端部分をコアワイヤとは別個に形成し、形成後に適切に接合することができる。末端部分を別個に形成し、その後コアワイヤに接合するとき、末端部分に使用する材料はコアワイヤの材料と同じもしくは異なるものとすることができる。
【図面の簡単な説明】
【００６９】
【図１】カテーテルに使用する本発明によるガイドワイヤの一部切除した側面図である
【図２】図１に示したガイドワイヤの部分的に一部切除した平面図である。
【図３】図１に示したガイドワイヤの部分拡大図である。
【図４】図１に示したガイドワイヤの部分斜視図である。
【図５】図４に示したガイドワイヤの部分平面図である。
【図６】図４に示したガイドワイヤの部分側面図である。
【図７】図４に示したガイドワイヤの部分端面図である。
【図８】本発明の他の実施例におけるガイドワイヤの部分斜視図である。
【図９】図８に示したガイドワイヤの部分平面図である。
【図１０】本発明の他の実施例におけるガイドワイヤの部分斜視図である。
【図１１】本発明の他の実施例におけるガイドワイヤの図４に類似する部分斜視図である。
【図１２】図１１に示すガイドワイヤの部分平面図である。
【図１３】図１１に示すガイドワイヤの部分側面図である。
【図１４】図１１に示すガイドワイヤの部分端面図である。
【図１】
2007501648.tif 000003
【図２】
2007501648.tif 000004
【図３】
2007501648.tif 000005
【図４】
2007501648.tif 000006
【図５】
2007501648.tif 000007
【図６】
2007501648.tif 000008
【図７】
2007501648.tif 000009
【図８】
2007501648.tif 000010
【図９】
2007501648.tif 000011
【図１０】
2007501648.tif 000012
【図１１】
2007501648.tif 000013
【図１２】
2007501648.tif 000014
【図１３】
2007501648.tif 000015
【図１４】
2007501648.tif 000016
【国際調査報告】
2007501648.tif 000017
2007501648.tif 000018
2007501648.tif 000019